(57)【要約】      （修正有）【課題】従来のＳＮＳにおける、あたたかみのある人間関係が培われていないことの解決につなげる方法を提供する。【解決手段】ＳＮＳの話題の中に、片手間でなく考えることを専門としている者が書いた本の内容を持ち込み、それを媒介として、ネットの中で交流し合い、さらにそれを現実の中に拡げることによって深みのある情感、知識を積み上げ、厚みのある人間関係を培い、ひいては、社会の中に安定した精神風土を醸成する方向に役立つ方法を取り入れる。瑣末な処理できないほどの大量の情報が流れる中、安定した精神風土を譲成し、幸福感を拡げる手段としては、他者に対しての想像力を育むしかないであろう。それには、歴史によって淘太され残ってきた本の内容とか専門家が一生懸命考えて書いた本の内容とかを利用し、想像力のある人々を現実の場で増やす。【選択図】図５
2014164748.tif 000002
【特許請求の範囲】
【請求項１】
本の内容に関して、質問やコメントを媒介として交流できるサイトをネット上に作り、審査を受けたカードを通してアクセスしポイントを貯める方法を１つの特徴とする本の内容を媒介にして、ネットの中と現実の本とその内容をめぐって現実の場でコミュニケーションをする集団をつなぐ方法。
【請求項２】
ネット上の交流者で連絡をとり合い、審査を受けたカードを持参し、現実の場でカードの内容を識別できる機械を備えた所に集まり本の内容も含めた色々な話題でコミュニケーションを取る方法を１つの特徴とする本の内容を媒介にして、ネットの中と現実の本と、その内容をめぐって現実の場でコミュニケーションをする集団をつなぐ方法。
【発明の詳細な説明】
【技術分野】
【０００１】  本発明は、ネット上でつながり合うもののそれはつながりの浅い部分であったりするのを歴史的に淘汰されてきたものの内容とか、一生懸命考えられた本の内容を媒介にして、厚みのあるつながりを築いたり、それを現実の場で他愛のないおしゃべりの場に持ち込み深みのある人間関係が拡がっていく方法に関するものである。
【背景技術】
【０００２】  本というものは、著者の死後５０年も印税が払われるという価置の高いものと位置づけられている。
にもかかわらず最近は、活字離れが進みせっかくの価置あるものを利用せず、考えの薄い社会になっていると考えられる。また、他愛ないおしゃべりは、中味の浅い現実社会のことが大半であり、飽きやすく、面白味に欠け、深く心に残るものが滅多になく、つながりに厚みが培われないという欠点が進みつつある。
【発明の概要】
【発明が解決しようとする課題】
【０００３】  ネット上の話題に、本の内容を媒介にして、様々違った見方、知識、価置観を持ち込み、そこに面白味を見い出し（こういうものが一番面白いのではないかと思う。というのも誰々が何をした、買った、作ったに終止するのは、仕事の片手間にやったことが大半であり、当然ながら空間の範囲の狭い、時間的に短いものの羅列であって、飽きやすい。考えることを専問にやっている人が書いた本の内容というのは、範囲が広く知識や情感が深く、時間的にも長いものであり、これを話題にすることは、飽きにくい。）それを現実のおしゃべりの中に持ち込めば、さらに様々な考え方に触れ、インスピレーションが湧き、新しい面白味を発見し、あたたか味のある会話がかわされることも可能であると考えられるにもかかわらず、現状は、愚知、悪口、下劣な話題が大半を占め、深みのある、あたたかみのある人間関係が培われていないことの解決につなげようとする方法である。
【課題を解決するための手段】
【０００４】  まず、ネット上にｆａｃｅＢｏｏｋの様なサイトを作るそこで、純文学、小説、まんが、ミステリー、ＳＦ、随筆、児童文学、詩、短歌、俳句、川柳、政治、実録もの  絵本、参考書、地図、ハウツーもの、辞書、楽苻…などのジャンル分けをする。【０００５】次にこのサイトに入れる会員の仕組みを作る。
会員は、物を買うとポイントが付く様な仕組でポイントカードを作る。このカードを作製するには審査を受ける。【０００６】  現実に売られている本にはバーコードあるいはＱＲコードを付けその本を講入した店でそのバーコードあるいはＱＲコードを読み込み、そのポイントカード（以降カードと言う）に本の名前、講入した人の氏名、住所等が記録される（ポイントが付く）【０００７】  ネットのサイトにアクセスするには、そのカードを挿入し読み込ませる機能をコンピュータに付属させた上でそのカード内容を読み込ませ本のサイトにアクセスする。【０００８】  そこで自分の講入した「おすすめの本」の中から５問問題を作る。純文学ジャンルに於いてｅｘ「赤頭巾ちゃん気をつけて」庄司薫著ならば
ｅｘ  １．主人公の飼っていた犬の名前は？
２．主人公の女友達の名前は？
３．その女友達は気に入らないことがあると「○○かんじゃいたい」と言います。○○とは何でしょう
４．主人公は、身体のどこかに怪我をしてしまいましたどこでしょう。
５．主人公は、最終章で幼い子と出会います。場所はどこだったでしょう。
質問を作れば、決められたポイントが貯まります。
そのポイントは、質問者の任意で決められます。ｅｘ（１〜５）あまりにマイナーだから高得点というのもあり得ます。【０００９】また誰かの「おすすめの本」の質問は、サイトに入って質問をクリックしなければ開きません。
全問正解だと質問者が任意に決めたポイントを獲得できます。【００１０】短い感想、コメントを書けばポイントが付きます【００１１】サイトは、ｆａｃｅＢｏｏｋのように地域ごと、好きな本ごと出身校ごとの会員が表示できます。
ｅｘ地域ごとで連絡をとり合って「おすすめの本」であっても良いし、カードをとにかく持って。別の本であってもよいから、カードの内容を保管記録でき且つ憩い飲食できるような現実の場所に集り本の内容について、１つ以上（自己申告）雑談の中に入れればポイントがつく。図書館で借りた本も一定のポイントがつきます。
【発明の効果】
【００１２】体験から、俳句の仲間とか短歌をやっている仲間は、実に愉快に品よく暖みのあるおしゃべりを楽しんでいるように思える。そういうカードの内容を含んだ雑談を通して感性に働きかけ、徐々にあたたかみのある風土を育む一助となる可能性がある。
また日本だけでなく他国の人とのつながりができれば、友好の一助となる可能性も秘めている。
【図面の簡単な説明】
【００１３】
【図１】本に印刷されたバーコードあるいはＱＲコード
【図２】講入者の氏名住所、講入した本のコードなどが記録されたカード
【図３】コンピュータ本体のカード挿入口
【図４】サイト画面
【図５】現実の場での雑談
【発明を実施するための形態】
【００１４】以下本発明の実施の形態を図１〜図５に基づいて説明する。
１、２のバーコード、ＱＲコードには、識別番号が割り振られていて借りたり不正入手したものをカードに再記録できないようにしておく。図書館のもの、古本、電子書籍は、又別途の記号が割振られる。
【００１５】会員のポイントカードには会員の氏名、住所、講入した本のコードなどが記録され、それは、審査に基づき作制される。
【００１６】コンピュータ本体に従来からあるカード読み取り機能を付属させ〔図３〕の様にカードの挿入口を設け、カードを読み取らせサイトに入る。
【００１７】ネット上に本の内容を媒介にした交流サイト、ｅｘ図４のようなものを作り、作制したカードによってアクセス可能とする。
【００１８】  登録の審査を受けたサークルの会員同しが連絡をとり合い現実の場で雑談し合う
カードを提示し合ってポイントを貯める、本の内容を１つ以上入れる（自己申告制）とポイントが上がる
【符号の説明】
【００１９】１．本に印刷されたバーコード
２．本に印刷されたＱＲコード
３．コンピュータ本体の挿入口
４．サイト画面
５．現実の場で集って本の内容を含めての雑談
【図１】
2014164748.tif 000003
【図２】
2014164748.tif 000004
【図３】
2014164748.tif 000005
【図４】
2014164748.tif 000006
【図５】
2014164748.tif 000007